(57)【要約】【目的】必要な時に所要の場所で手軽に布団を乾燥できる布団乾燥機を提供する。【解決手段】乾燥機本体１と、この乾燥機本体１の上部でガイド部材３を介して昇降自在に支持されると共に所定高さ引き上げた位置に固定される布団掛け用の上部ハンガー２とによって衝立状に形成され、乾燥機本体１の下端部には転倒防止板５，６が設けられ、乾燥機本体１は、本体フレーム７と、これの前後両側面側に貼着された面状発熱シート８と、各面状発熱シート８の表面に被着された表面保護材９とからなる。【選択図】        図５
2004313412.tif 000002
【特許請求の範囲】
【請求項１】
乾燥機本体と、この乾燥機本体の上部でガイド部材を介して昇降自在に支持されると共に所定高さ引き上げた位置に固定可能な布団掛け用の上部ハンガーとによって衝立状に形成され、乾燥機本体の下端部には転倒防止板が設けられ、乾燥機本体は、本体フレームと、これの前後両側面側に貼着された面状発熱シートと、各面状発熱シートの表面に被着された表面保護材とからなる布団乾燥機。
【請求項２】
乾燥機本体の下部にはロールカーテンが装備され、布団乾燥時にロールカーテンを引き出して、上部ハンガーから乾燥機本体に亘って掛けられた布団の表面を覆うようにした請求項１に記載の布団乾燥機。
【請求項３】
ガイド部材は、乾燥機本体内に配設された固定ガイド管と、上部ハンガーの下面から下向きに突設され、乾燥機本体側の固定ガイド管に入れ子式に嵌合されるスライド管とからなる請求項１又は２に記載の布団乾燥機。
【請求項４】
乾燥機本体側の各固定ガイド管には緩衝材が挿入されている請求項３に記載の布団乾燥機。
【請求項５】
上部ハンガー側のスライド管には放熱防止用筒体が套嵌されている請求項３又は４に記載の布団乾燥機。
【請求項６】
転倒防止板は、水平板とこれの先端部に下向きに突出する脚板とでＬ字状に形成されたＬ字板からなるもので、このＬ字板を乾燥機本体下端部の前面側と後面側とに少なくとも１枚ずつ配置して、前面側及び後面側のＬ字板を夫々乾燥機本体の下端部に引き出し式に出し入れ自在としてなる請求項１〜５の何れかに記載の布団乾燥機。
【請求項７】
乾燥機本体の下部には移動用ローラーが装備されている請求項１〜６の何れかに記載の布団乾燥機。
【発明の詳細な説明】
【０００１】
【発明の属する技術分野】
本発明は、布団乾燥機に関するものである。
【０００２】
【従来の技術及びその課題】
布団の乾燥は、従来よりベランダなどでの所謂天日干しによって行なわれているが、このような天日干しによる布団の乾燥は、天気の良い日に限られ、また押入れからベランダ等まで布団を運ぶのに労作業を要するといった不都合がある。
そこで、天気に関係なく必要な時に手軽に布団を乾燥できる布団専用の乾燥設備の出現が望まれるが、未だそのような布団乾燥設備は提供されていない。
【０００３】
本発明は、上記の課題に鑑み、必要な時に所要の場所で手軽に布団を乾燥できる布団乾燥機を提供することを目的とする。
【０００４】
【課題を解決するための手段】
請求項１に係る発明の布団乾燥機は、乾燥機本体１と、この乾燥機本体１の上部でガイド部材３を介して昇降自在に支持されると共に所定高さ引き上げた位置に固定可能な布団掛け用の上部ハンガー２とによって衝立状に形成され、乾燥機本体１の下端部には転倒防止板５，６が設けられ、乾燥機本体１は、本体フレーム７と、これの前後両側面側に貼着された面状発熱シート８と、各面状発熱シート８の表面に被着された表面保護材９とからなることを特徴とする。
【０００５】
請求項２は、請求項１に記載の布団乾燥機において、乾燥機本体１の下部にはロールカーテン２９が装備され、布団乾燥時にロールカーテン２９を引き出して、上部ハンガー２から乾燥機本体１に亘って掛けられた布団Ｆの表面を覆うようにしたことを特徴とする。
【０００６】
請求項３は、請求項１又は２に記載の布団乾燥機において、ガイド部材３は、乾燥機本体１内に配設された固定ガイド管３ａと、上部ハンガー２の下面から下向きに突設され、乾燥機本体１側の固定ガイド管３ａに入れ子式に嵌合されるスライド管３ｂとからなることを特徴とする。
【０００７】
請求項４は、請求項３に記載の布団乾燥機において、乾燥機本体１側の各固定ガイド管３ａには緩衝材２１が挿入されていることを特徴とする。
【０００８】
請求項５は、請求項３又は４に記載の布団乾燥機において、上部ハンガー２側のスライド管３ｂには放熱防止用筒体４が套嵌されていることを特徴とする。
【０００９】
請求項６は、請求項１〜５の何れかに記載の布団乾燥機において、転倒防止板５，６は、水平板５ａ，６ａとこれの先端部に下向きに突出する脚板５ｂ，６ｂとでＬ字状に形成されたＬ字板からなるもので、このＬ字板を乾燥機本体１下端部の前面側と後面側とに少なくとも１枚ずつ配置して、前面側及び後面側のＬ字板を夫々乾燥機本体１の下端部に引き出し式に出し入れ自在としてなることを特徴とする。
【００１０】
請求項７は、請求項１〜６の何れかに記載の布団乾燥機において、乾燥機本体１の下部には移動用ローラー３３が装備されていることを特徴とする。
【００１１】
【発明の実施の形態】
本発明に係る布団乾燥機は、図１〜図５に示すように、乾燥機本体１と、この乾燥機本体１の上部で複数のガイド部材３を介して昇降自在に支持されると共に所定高さ引き上げた位置に固定可能な布団掛け用の上部ハンガー２と、によって衝立状に形成されるもので、乾燥機本体１の下端部には乾燥機本体１の転倒を防止する転倒防止板５，６が設けられている。
【００１２】
図１は上部ハンガー２を下降させて乾燥機本体１の上端に支持させた状態を示し、図２及び図３は上部ハンガー２を所定高さまで引き上げて固定した状態を示す。また、図４の（ａ）は上部ハンガー２を下降させた状態での布団乾燥機の一部縦断正面図、（ｂ）は（ａ）のイ−イ線断面図であり、図５の（ａ）は上部ハンガー２を所定高さ引き上げた状態での布団乾燥機の一部縦断正面図、（ｂ）は側面図である。更に、図６は上部ハンガー２を下降させた状態での布団乾燥機の拡大縦断正面図である。
【００１３】
乾燥機本体１は、図６から分かるように、本体フレーム７と、この本体フレーム７の前後両側面側に夫々貼着された面状発熱シート８と、各面状発熱シート８の表面に被着された表面保護材９とによって構成される。本体フレーム７は、図４及び図５に示すように、下横板１０と上横板１１と左右縦板１２，１２とからなる周枠１３を基台１４上に載設固定し、この周枠１３内に複数の補強中板１５を配設すると共に、周枠１３の前後開口面を覆うように前後面板１６，１６を配設することによって、上端部から下端部に亘り前後方向厚みが漸次厚くなった断面略台形状に形成されたもので、前後各面板１６の表面に面状発熱シート８が貼着される。周枠１３内には、例えば発泡スチロールからなる保温材１７が装填される。周枠１３、基台１４、補強中板１５及び前後面板１６は、夫々木材よりなる。
【００１４】
面状発熱シート８は、詳細な構造の図示は省略するが、ポリエステルフィルムに半導体化したチタン酸バリウム系セラミックよりなる特殊インクを印刷した発熱層、絶縁層などで構成されるＰＴＣ特性を有する自己温度制御可能なＰＴＣ面状発熱体からなる、厚さが例えば０．５ｍｍ程度の超薄型フィルムヒーターである。また、この面状発熱シート８の表面を保護する表面保護材９は、例えば０．５ｍｍ程度の着色鋼板からなるもので、本体フレーム７及び上部ハンガー２の木材と同じ色に着色され、接着剤によって面状発熱シート８の表面に貼着される。
この表面保護材９は、またアルミ樹脂化粧パネルによって形成してもよい。この化粧パネルは、厚さが例えば１．７ｍｍ程度のプラスチックフィルムを芯材として、その表裏面に０．１５ｍｍ程度のアルミニウムフィルムを積層した商品名アルチャンプ又はアルポリック（三菱化学産資株式会社製）のものが好ましい。これらの表面保護材９は、面状発熱シート８の表面を保護するだけでなく、本体フレーム７を補強する機能も有する。
【００１５】
また、上記面状発熱シート８の電極に接続された接続端子（図示省略）が乾燥機本体１の本体フレーム７に設けられ、そしてこの接続端子に接続されて、電源の入切操作と通電の時間設定を行なうタイマースイッチ２０が本体フレーム７の縦板１２に取り付けられている。上記接続端子は電源接続コードを介して建物内の電源に接続されるようになっている。
【００１６】
布団掛け用の上部ハンガー２は、図６に示すように、縦長断面でその厚みが上端部から下端部に亘って漸次厚くなると共に上端部が丸くなるように、木材によって形成されている。そして、この上部ハンガー２の下面に凹溝１８が開口形成されていて、この凹溝１８には、活性炭よりなる乾燥・消臭剤１９が、凹溝１８の開口面に露呈するように装填されるから、布団Ｆの乾燥をより効果的に行なわせることができると共に、布団Ｆから発せられる悪臭を吸収除去することができる。
【００１７】
ガイド部材３は、図４及び図５に示すように、乾燥機本体１の左右両端部とその中央部との３箇所に設けてあって、各ガイド部材３は、乾燥機本体１の本体フレーム７内に配設された固定ガイド管３ａと、上部ハンガー２の下面から下向きに突設され、乾燥機本体１側の各固定ガイド管３ａに入れ子式に嵌合されるスライド管３ｂとからなる。固定ガイド管３ａ及びスライド管３ｂは夫々金属製の角パイプによって形成される。そして、固定ガイド管３ａには緩衝材としてのコイルバネ２１が挿入されている。
【００１８】
また、左右各端部のガイド部材３には、上部ハンガー２側のスライド管３ｂに放熱防止用筒体４が套嵌されている。この放熱防止用筒体４は、木材、例えば合板によって角筒状に形成されたもので、上端部が上部ハンガー２の下端面に固着されていて、図４及び図５から分かるように、乾燥機本体１の本体フレーム７の上横板１１に開口された開口部２２から本体フレーム７内にスライド自在に突入されている。
【００１９】
乾燥機本体１には、上部ハンガー２を乾燥機本体１の上端から所定高さまで引き上げた位置で固定するストッパー２３が設けられている。このストッパー２３は、例えば、図４及び図５に例示するように、乾燥機本体１の本体フレーム７の左右各縦板１２の上端部に、この縦板１２を貫通するストッパーピン２４を、バネ（図示せず）で常時先方側へ付勢するように設ける一方、放熱防止用筒体４の下端所要部にストッパーピン２４が係入する係入孔２５を設けてなるもので、上部ハンガー２を所定高さまで引き上げた位置でストッパーピン２４が放熱防止用筒体４の係入孔２５に係入して、上部ハンガー２を引き上げ位置に固定するようにし、また上部ハンガー２を下降させる時は前記バネの付勢力に抗して操作レバー２６を引くことにより、ストッパーピン２４を係入孔２５から抜き出すようにしている。
【００２０】
また放熱防止用筒体４の下端部には位置決めストッパー２７が設けてあって、上部ハンガー２をガイド部材３によって引き上げる時に、この上部ハンガー２を所定高さ位置で停止させて、抜け出るのを阻止するようにしている。
【００２１】
乾燥機本体１及び上部ハンガー２の転倒を防止するための転倒防止板５，６は、図６から分かるように、水平板５ａ，６ａとこれの先端部に下向きに突出する脚板５ｂ，６ｂとでＬ字状に形成されたＬ字板からなるもので、両転倒防止板（Ｌ字板）５，６を乾燥機本体１下端部の前面側と後面側とに例えば２枚ずつ配置して、前面側及び後面側の転倒防止板５，６を夫々、乾燥機本体１の本体フレーム７の基台１４に引き出し式に出し入れ自在に取り付けたものである。各水平板５ａ，６ａの前面部には把手２８が取り付けてある。
【００２２】
また図４及び図５に示すように、乾燥機本体１の下端部にはロールカーテン２９が装備されていて、布団乾燥時にこのロールカーテン２９を引き出し、上部ハンガー２から乾燥機本体１に亘って掛けられた布団Ｆの表面を覆うことにより、布団Ｆの乾燥を有効に行なわせるようにしている。
【００２３】
このロールカーテン２９は、乾燥及び脱臭機能を有する木炭系シート材によって形成されたもので、乾燥機本体１の下端部に水平に軸架された巻軸３０に、付勢用のコイルバネ（図示せず）を介して巻かれていて、布団Ｆを乾燥する時に、ロールカーテン２９の先端部を引き出して、図３に示すように乾燥機本体１に掛けた布団Ｆを覆い、ロールカーテン２９先端部に設けた係止フック３１（図５の（ｂ）参照）を、本体フレーム７の基台１４に設けた凹部３２に係止させるようにしている。
【００２４】
また図４及び図５に示すように、乾燥機本体１の下部には本体フレーム７の基台１４の両端部側に移動用ローラー３３が装備されている。この移動用ローラー３３は、常時床面に接するように乾燥機本体１に取り付けてもよいし、あるいは周知のローラー切換機構によって、常時は床面から浮かせておき、移動時には切換レバーを操作して接地させるようにすることもできる。尚、図面において、３４は布団乾燥機を移動させる場合等に使用する把手、乾燥機本体１の左右両端部に設けてある。
【００２５】
上記のように構成される布団乾燥機の使用方法について説明すると、この布団乾燥機は、非使用時には、図１及び図４に示すように上部ハンガー２を乾燥機本体１の上端に接するように下降させた状態にしておき、布団Ｆを乾燥する時に、図２及び図５に示すように上部ハンガー２を所定高さまで引き上げて、その位置でストッパー２３により固定する。
【００２６】
布団乾燥時には、布団乾燥機を所要の場所、例えば押入の近くまで移動させて、図示しない電源接続コードを家庭用電源のコンセントに接続する。しかして、図２に示すように、上部ハンガー２を乾燥機本体１の上端から所定高さまで引き上げて固定した状態の布団乾燥機に、布団Ｆを二つ折りにして掛けた後、ロールカーテン２９を引き出して、図３に示すように布団Ｆの表面を覆い、その先端部を適宜に固定する。それから、タイマースイッチ２０を操作して、乾燥機本体１の電源を入れるとともに、通電の時間設定を行ない、布団Ｆの乾燥を開始する。
この場合、設定温度（乾燥機本体１の表面、即ち表面保護材９の温度）を例えば７０℃、設定時間を例えば６０分とする。
【００２７】
こうして乾燥機本体１に布団Ｆを掛けて乾燥を開始し、上記の設定時間が経過すると、その布団Ｆは、途中で裏返しすることなく、そのままの状態で十分に乾燥されることになる。この布団乾燥機では、上部ハンガー２を乾燥機本体１の上端から所定高さまで引き上げた状態で布団Ｆを掛けるから、二つ折り布団Ｆの下半部しか乾燥機本体１に当接しないが、乾燥機本体１からの輻射熱が、掛けられた二つ折り布団Ｆの内側面部に沿って下部側から上部側へ急速に移動するため、二つ折り布団Ｆの上半部も有効に加熱して、布団Ｆ全体を十分に乾燥することができる。特に、乾燥機本体１と引き上げられた上部ハンガー２との間に空間部Ｓ（図２参照）が形成されて、この空間部Ｓが加熱されることによって、二つ折り布団Ｆの上半部も有効に乾燥される。
【００２８】
また、この布団乾燥機によれば、室内の任意の場所で手軽に布団Ｆを乾燥させることができると共に、非使用時には上部ハンガー２を乾燥機本体１の上端に当接するように下降させることにより、嵩を低くコンパクトにすることができるため、移動させ易く、収納・保管も便利となる。また、この布団乾燥機は、部品点数が少なく、構造が簡単であるから、製作が容易となって、安価に提供することができる。尚、この布団乾燥機は、例えば幼児布団のように長さの短い布団Ｆを乾燥させる場合には、上部ハンガー２を下降させたままの状態で乾燥に使用することもできる。
【００２９】
また、この布団乾燥機に装備されているロールカーテン２９は、乾燥機本体１に掛けられた布団Ｆの表面を被って乾燥を有効に行わせることができると共に、このカバー３を形成している木炭系シート材の脱臭作用によって布団Ｆから発散される悪臭を吸着除去することができる。
【００３０】
そしてまた、この布団乾燥機の乾燥機本体１は、前述したＰＴＣ特性を有する自己温度制御可能なＰＴＣ面状発熱体からなる面状発熱シート８を有するから、通電すると、素早く昇温し、設定温度に達した後は、自ら温度を制御・維持する機能によってその設定温度に維持される。例えば、通電を開始して１５分で設定温度の７０℃に達した後、残りの４５分間その設定温度の７０℃に維持される。
このように面状発熱シート８により表面が加熱される乾燥機本体１に掛けられた布団Ｆを、一定時間経過する間に十分に乾燥させることができる。
【００３１】
更に、この布団乾燥機は、上部ハンガー２の上端部が丸く形成されていると共に、上部ハンガー２の上端部から乾燥機本体１の下端部に亘って前後方向の厚さが漸次厚くなるように形成されているから、二つ折りにした布団Ｆの折れ曲がり部分を含む布団Ｆの内側面全体を乾燥機本体１に有効に添わせることができ、それによって布団Ｆを一層有効に加熱乾燥させることができる。
【００３２】
この布団乾燥機において、上部ハンガー２の昇降を案内するガイド部材３が、乾燥機本体１内に配設された固定ガイド管３ａと、上部ハンガー２の下面から下向きに突設され、乾燥機本体１側の固定ガイド管３ａに入れ子式に嵌合されるスライド管３ｂとからなるため、上部ハンガー２を安定良くスムーズに昇降させることができると共に、構造が簡単であるため、製作が容易となる。また、このガイド部材３では、固定ガイド管３ａには緩衝材としてのコイルバネを挿入しているから、上部ハンガー２を下降させる際の衝撃を緩和することができる。また、スライド管３ｂには放熱防止用筒体４が套嵌されているから、布団乾燥時におけるガイド部材３からの不要な放熱を防止して、布団Ｆを有効に加熱乾燥することができる。
【００３３】
また、転倒防止板５，６は、水平板５ａ，６ａと、これの先端部に下向きに突出する脚板５ｂ，６ｂとでＬ字状に形成されたＬ字板からなるもので、両転倒防止板５，６を乾燥機本体１下端部の前面側と後面側とに例えば２枚ずつ配して、前面側及び後面側の転倒防止板５，６を夫々、乾燥機本体１の本体フレーム７の基台１４に引き出し式に出し入れ自在に取り付けてなるものであるから、布団乾燥機を使用しない時には、転倒防止板５，６を乾燥機本体１の下端部内に引っ込めて収納しておくことにより、より一層コンパクトにすることができ、布団乾燥機の収納・保管に一層便利になる。
【００３４】
【発明の効果】
請求項１に係る発明の布団乾燥機によれば、室内の任意の場所で手軽に布団を乾燥させることができると共に、非使用時には上部ハンガーを乾燥機本体の上端に当接するように下降させることにより、嵩を低くコンパクトにすることができるため、移動させ易く、収納・保管も便利となる。しかも、この布団乾燥機は、部品点数が少なく、構造が簡単であるから、製作が容易となって、安価に提供することができる。
【００３５】
また、この布団乾燥機によれば、上部ハンガーを所定高さまで引き上げた状態で使用する場合に、乾燥機本体と引き上げられた上部ハンガーとの間に空間部が形成されるから、この空間部内の空気が加熱されることによって、布団全体をより有効に乾燥させることができる。
【００３６】
請求項２に係る発明の布団乾燥機によれば、ロールカーテンにより、乾燥機本体に掛けられた布団の表面を被って乾燥を一層有効に行わせることができる。
【００３７】
請求項３に係る発明の布団乾燥機によれば、上部ハンガーを安定良くスムーズに昇降させることができると共に、ガイド部材の構造が簡単となって、製作が容易となる。
【００３８】
請求項４に係る発明の布団乾燥機によれば、乾燥機本体側の各固定ガイド管には緩衝材が挿入されているから、上部ハンガーを下降させる際の衝撃を緩和することができる。
【００３９】
請求項５に係る発明の布団乾燥機によれば、上部ハンガー側のスライド管には放熱防止用筒体が套嵌されているから、布団乾燥時におけるガイド部材からの不要な放熱を防止して、布団をより有効に加熱乾燥することができる。
【００４０】
請求項６に係る発明の布団乾燥機によれば、転倒防止板を乾燥機本体の下端部から引き出すことによって、乾燥機本体を安定に保持して布団乾燥機の転倒を防止できると共に、布団乾燥機を使用しない時には、転倒防止板を乾燥機本体の下端部内に引っ込めて収納しておくことにより、より一層コンパクトにすることができ、布団乾燥機の収納・保管に一層便利になる。
【００４１】
請求項７に係る発明の布団乾燥機によれば、乾燥機本体の下部には移動用ローラーを装備しているから、布団乾燥機の移動が容易となる。
【図面の簡単な説明】
【図１】上部ハンガーを下降させて乾燥機本体の上端に支持させた状態を示す外観斜視図である。
【図２】上部ハンガーを所定高さまで引き上げて固定した状態で布団をかけた状態を示す斜視図である。
【図３】図２と同様であるが、更にロールカーテンの使用状態を示す斜視図である。
【図４】（ａ）は上部ハンガーを下降させた状態での布団乾燥機の一部縦断正面図、（ｂ）は（ａ）のイ−イ線断面図である。
【図５】（ａ）は上部ハンガーを所定高さ引き上げた状態での布団乾燥機の一部縦断正面図、（ｂ）は側面図である。
【図６】上部ハンガーを下降させた状態での布団乾燥機の拡大縦断正面図である。
【符号の説明】
１              乾燥機本体
２              上部ハンガー
３              ガイド部材
３ａ            固定ガイド管
３ｂ            スライド管
４              放熱防止用筒体
５，６          転倒防止板
７              本体フレーム
８              面状発熱シート
９              表面保護材
２１            コイルバネ（緩衝材）
２９            ロールカーテン
【図１】
2004313412.tif 000003
【図２】
2004313412.tif 000004
【図３】
2004313412.tif 000005
【図４】
2004313412.tif 000006
【図５】
2004313412.tif 000007
【図６】
2004313412.tif 000008